(57)【要約】偽封防止効果のある包装容器は、挿入舌片（１３）が折曲線（１２）に沿ってカバーパネル（１０）を折曲することによって形成され、包装箱の内側収納部に挿入される包装箱で構成される。前記挿入舌片（１３）から、少なくとも１つのシール用ストリップ（１１）が分離して、前記折曲線（１２）において、前記カバーパネル（１０）に連結されている。前記シール用ストリップ（１１）は、前記挿入舌片（１３）と一緒には包装箱の内側収納部に挿入されないが、第２パネル（３０）の外面に押圧接着され、該パネルと連結固定される。前記包装容器は、新しい偽封防止方法や新しいバックルの設け方を提供するので、包装箱の偽封防止効果や商品包装の見栄えが良くなり、環境保護基準に合致したものとなる。
2012531371.tif 000002
【特許請求の範囲】
【請求項１】
カバーパネル（１０）と、第１パネル（２０）と、第２パネル（３０）と、第１サイドパネル（４０）と、第２サイドパネル（５０）と、底部パネル（６０）とを備え、挿入舌片（１３）が、折曲線（１２）に沿って前記カバーパネル（１０）を折曲することによって形成され、包装箱の内側収納部に挿入される包装箱で構成された包装容器の挿入舌片の機能拡張された応用おいて、
少なくとも１つのシール用ストリップ（１１）が、前記挿入舌片（１３）から分離して、前記折曲線（１２）において、前記カバーパネル（１０）に連結されており、
前記シール用ストリップ（１１）は、挿入舌片（１３）と一緒には包装箱の内側収納部に挿入されないが、第２パネル（３０）の外面に押圧接着され、第２パネルと連結固定され、
破断線（７０）が、前記シール用ストリップ（１１）に対応する前記第２パネル（３０）に設けられていることを特徴とする、包装容器の挿入舌片の機能拡張された応用。
【請求項２】
１つのシール用ストリップ（１１）が、前記挿入舌片（１３）の中央において、前記挿入舌片（１３）から分離して、前記折曲線（１２）において、前記カバーパネル（１０）に連結され、
前記シール用ストリップ（１１）は、接着手段を用いて前記第２パネル（３０）の外面に押圧接着され、前記第２パネルと連結固定され、矢印、バー、半円、円、長円、星の中から１つ選択された形状で構成されることを特徴とする、請求項１に記載の包装容器の挿入舌片の機能拡張された応用。
【請求項３】
２つのシール用ストリップ（１１）が、前記挿入舌片（１３）の中央を対称軸として対称状に設けられ、前記挿入舌片（１３）から分離していることを特徴とする、請求項１に記載の包装容器の挿入舌片の機能拡張された応用。
【請求項４】
前記シール用ストリップ（１１）に対応する前記第２パネル（３０）の近傍表面と前記シール用ストリップ（１１）の表面に連続するようにして、文字、模様、文字と模様の結合のうちのいずれかが印刷されることを特徴とする、請求項１に記載の包装容器の挿入舌片の機能拡張された応用。
【請求項５】
前記底部パネル（６０）にも、前記カバーパネル（１０）のものと同様の挿入舌片（１３）とシール用ストリップ（１１）とが設けられていることを特徴とする、請求項１に記載の包装容器の挿入舌片の機能拡張された応用。
【請求項６】
前記シール用ストリップ（１１）に、貫通孔（１４）を設けるとともに、前記第２パネル（３０）にもこれに対応する同径の貫通孔（２２）を設け、ロックピン（８０）を前記２つの貫通孔に挿通してから、前記シール用ストリップ（１１）を前記第２パネル（３０）の外面に接着して、前記第２パネルと連結固定することを特徴とする、請求項１に記載の包装容器の挿入舌片の機能拡張された応用。
【請求項７】
カバーパネル（１０）と、第１パネル（２０）と、第２パネル（３０）と、第１サイドパネル（４０）と、第２サイドパネル（５０）と、底部パネル（６０）とを備え、挿入舌片（１３）が、折曲線（１２）に沿って前記カバーパネル（１０）を折曲することによって形成され、包装箱の内側収納部に挿入される六面体包装箱で構成された包装容器の挿入舌片の機能拡張された応用において、
１つのシール用ストリップ（１１）が、前記挿入舌片（１３）から分離して、前記折曲線（１２）において、前記カバーパネル（１０）に連結され、
前記シール用ストリップ（１１）は、前記挿入舌片（１３）と一緒には包装箱の内側収納部に挿入されないが、前記第２パネル（３０）の外面に押圧接着され、第２パネルと連結固定され、
破断線（７０）が、前記折曲線（１２）付近のシール用ストリップ（１１）上に設けられていることを特徴とする、包装容器の挿入舌片の機能拡張された応用。
【請求項８】
前記底部パネル（６０）に、前記挿入舌片（１３）とこの挿入舌片（１３）からが分離しているシール用ストリップ（１１）とを設け、
該シール用ストリップ（１１）は、前記挿入舌片（１３）と一緒には包装箱の内側収納部に挿入されないが、前記底部パネル（６０）と隣接する前記第２パネル（３０）の外面に押圧接着され、前記第２パネルと連結固定されることを特徴とする、請求項１又は７に記載の包装容器の挿入舌片の機能拡張された応用。
【請求項９】
カバーパネル（１０）と、第１パネル（２０）と、第２パネル（３０）と、第１サイドパネル（４０）と、第２サイドパネル（５０）と、底部パネル（６０）とを備え、挿入舌片（１３）が、折曲線（１２）に沿って前記カバーパネル（１０）を折曲することによって形成され、包装箱の内側収納部に挿入される六面体包装箱で構成された包装容器の挿入舌片の機能拡張された応用において、
少なくとも１つのシール用ストリップ（１１）が、前記カバーパネル（１０）の前記折曲線（１２）と隣接する第２パネル（３０）から分離して、破断線（７０）において、第２パネル（３０）に連結され、前記挿入舌片（１３）の露出面に押圧接着され、この露出面と連結固定されることを特徴とする、包装容器の挿入舌片の機能拡張された応用。
【請求項１０】
前記シール用ストリップ（１１）が、第２パネル（３０）の中央を対称軸として対称状にカバーパネル（１０）の折曲線（１２）付近に２つ設けられ、第２パネル（３０）から分離していることを特徴とする、請求項９に記載の包装容器の挿入舌片の機能拡張された応用。
【請求項１１】
カバーパネル（１０）と、第１パネル（２０）と、第２パネル（３０）と、第１サイドパネル（４０）と、第２サイドパネル（５０）と、底部パネル（６０）とを備え、挿入舌片（１３）が、折曲線（１２）に沿って前記カバーパネル（１０）を折曲することによって形成され、包装箱の内側収納部に挿入される六面体包装箱で構成された包装容器の挿入舌片の機能拡張された応用において、
バックル（１５）が、前記挿入舌片（１３）から分離して、前記折曲線（１２）において、前記カバーパネル（１０）に連結され、
前記バックルは、前記挿入舌片（１３）と一緒には包装箱の内側収納部に挿入されないが、分離前に前記バックル（１５）の内側に位置する前記挿入舌片（１３）の一部（１６）が、前記挿入舌片（１３）と一緒に包装箱の内側収納部に挿入されることを特徴とする、包装容器の挿入舌片の機能拡張された応用。
【請求項１２】
カバーパネル（１０）と、第１パネル（２０）と、第２パネル（３０）と、第１サイドパネル（４０）と、第２サイドパネル（５０）と、底部パネル（６０）とを備え、挿入舌片（１３）が、折曲線（１２）に沿って前記カバーパネル（１０）を折曲することによって形成され、包装箱の内側収納部に挿入される六面体包装箱で構成された包装容器の挿入舌片の機能拡張された応用において、
バックル（１５）が、前記挿入舌片（１３）から分離して、前記折曲線（１２）において、前記カバーパネル（１０）に連結され、
前記バックル（１５）は、前記挿入舌片（１３）と一緒には包装箱の内側収納部に挿入されず、分離前にバックル（１５）の内側に位置する挿入舌片（１３）の一部が、シール用ストリップ（１１）として設けられ、挿入舌片（１３）と一緒には包装箱の内側収納部に挿入されないが、第２パネル（３０）の外面に押圧接着され、第２パネルと連結固定され、破断線（７０）が、シール用ストリップ（１１）に対応する第２パネル（３０）に設けられていることを特徴とする、包装容器の挿入舌片の機能拡張された応用。
【請求項１３】
包装袋体（９０）と、後方裾部（９１）と、後方カバー（９２）とを備え、該後方カバー（９２）の一端が、前記後方裾部（９１）と前記包装袋体（９０）とによって形成された収納部に挿入される挿入舌片（９３）である包装バッグで構成された包装容器の挿入舌片の機能拡張された応用において、
１つのシール用ストリップ（１１）が、前記挿入舌片（９３）から分離して、前記挿入舌片（９３）の基端において、前記後方カバー（９２）と連結され、前記後方裾部（９１）と前記包装袋体（９０）とによって形成された収納部に、前記挿入舌片（９３）と一緒には挿入されないが、前記後方裾部（９１）の外面に押圧接着され、前記後方裾部（９１）と連結固定され、
前記シール用ストリップ（１１）の基端部には、破断線（７０）が設けられていることを特徴とする、包装容器の挿入舌片の機能拡張された応用。
【請求項１４】
包装袋体（９０）と、後方裾部（９１）と、後方カバー（９２）とを備え、該後方カバー（９２）の一端が、前記後方裾部（９１）と前記包装袋体（９０）とによって形成された収納部に挿入される挿入舌片（９３）である包装バッグで構成された包装容器の挿入舌片の機能拡張された応用において、
１つのシール用ストリップ（１１）が、前記後方裾部（９１）の一端から分離して、破断線（７０）においてのみ、前記後方裾部（９１）と連結され、前記挿入舌片（９３）の露出面に押圧接着され、その露出面と連結固定されることを特徴とする、包装容器の挿入舌片の機能拡張された応用。
【発明の詳細な説明】
【技術分野】
【０００１】
本発明は、製品包装の分野に属するものであり、特に包装容器の挿入舌片の機能拡張された応用に関する。
【背景技術】
【０００２】
商品経済の急速な発展に伴い、市場は過当競争にさらされている。犯罪者の中には、商品の包装シールが持つ欠点をつき、違法な手段を用いて利益を得ようとする者がある。商品の盗難や取替を防止するために、製造者は、包装シールを改良する措置をとっているが、このような措置は、コスト増を招き、また、偽封防止効果を十分に発揮させているとは言えない。さらに、包装箱の偽封防止効果の改良や包装箱の機能拡張を図るために、製造者の中には、包装材料を多く消費する者もいるが、このような消費は、製品のコスト増を招くだけでなく、環境保護への負担を増大させることになる。その理由としては、紙ベース包装の材料は、大量の無駄な液体を消費するため、リサイクルの工程中も、紙の製造工程中と同様に、環境を汚染することになるからである。
【０００３】
例えば、多くの製造者は、既存のシール片を包装箱のカバー開封部に貼着する。図１７に示すカバーパネルを開封する場合、シール片を破断するか、又は、鋭利な道具を使ってシール片を切断することになる。最近、製造者の中には、レーザー照射防止フィルムのようなさらにコストのかかるシール片を用いる者がいる。シール片はステッカーとして製造されて包装箱に貼着されているので、通常の室温下でシール片を剥がした場合、シール片は、変形又は損傷することになる。この場合、消費者は、包装箱が開封されているか否かを判断することができる。しかしながら、ステッカーの主要構成部分はホットメルト接着剤であるので、ステッカーは熱に弱い。犯罪者はこの特徴を利用して、例えば、電球の放射熱で、包装箱のカバー開封部に貼着されたシール片を加熱してからシール片を簡単に剥がし、中味を盗み取ったり、入れ替えたりする。その後は、シール片を再度加熱してカバー開封部に再度貼着するので、このような事態を消費者が発見することは困難である。したがって、全てのシール片は、偽封防止効果に乏しい。このため、犯罪者は、低コストで脱法行為を行い、消費者の利益を深刻に侵害する。
【０００４】
このため、製造者の中には、図１８に示す反対カバー方法を利用する者がいる。すなわち、通常の第１パネル（２０）より一部を延伸させて、反対カバーのために折曲し、これをカバーパネル（１０）に接着する。このような延伸部分は、通常のカバーの２倍となる長さで構成され、後方に再度折曲されることでバックル（１５）として機能する。使用の際には、包装箱は、破断線（７０）に沿って開封される。従来技術におけるこのような反対カバー方法は、シール片によるシール手段よりも偽封防止効果に優れているが、このような方法には、後述の３つの明確な欠点が依然として見られる。１つ目の欠点は、偽封防止効果が比較的乏しいことに変わりはないことである。その理由としては、延伸部分は、カバーパネル（１０）の接着面から分離してその接着面に固定されると、シール箇所が剥がれたという証拠は２層の紙の間に隠れるため、消費者がそれを容易に発見することはできないからである。２つ目の欠点は、材料の使用量が顕著に増加し、コスト増を招くだけでなく、環境への負担を大きくすることである。３つ目の欠点は、商品包装の外観における美感能力を低下させることである。その理由としては、このような包装の破断線は、箱本体の幅と同一の長めの長さ寸法で構成され、包装箱の前面部（通常、第１パネル（２０）が前面部として使用される。）に設けられなければならないため、商品の外観に影響を与えるからである。
【０００５】
その他の技術的解決としては、例えば、図１９に示す内部接着方法がある。この方法では、カバーパネル（１０）の挿入舌片（１３）が、第２パネル（３０）の一領域の内面に接着され、破断線（７０）がその第２パネル（３０）の一領域に設けられている。この技術的解決には、後述の欠点が見られる。１つ目の欠点は、偽封防止効果に乏しいことである。その理由としては、接着面は、第２パネル（３０）の内面に位置することになるため、ブレード状の道具を接着箇所の両側の間に挿入して隙間を空けることが可能で、隙間を空けたことに消費者が気付くことはほとんどないからである。空けた隙間が接着剤で再度接着されると、消費者が隙間を空けたか否かを発見することはさらに困難なこととなる。その理由としては、破断線（７０）が破断されないことを確認できるが、全ての証拠が内側に隠れて、消費者はそれらを発見することができないからである。２つめの欠点は、この技術的解決では、挿入舌片（１３）を第２パネル（３０）の内面と接着する場合、包装箱の内面に接着剤を塗布するが、この接着剤の塗布量及び塗布位置が非常に重要となるため、塗布工程をさらに複雑にし、また、製造コストを増大させることになるからである。
【０００６】
さらに、商品展示について小売業者に協力するため、ますます多くの製造者が包装箱にバックルを追加して、消費者が選び易いように商品を連続して商品棚に吊り下げることができるようにしている。図１８に示す反対カバー方法は、バックルを包装箱に設けるための方法の１つである。しかしながら、大部分の製造者は、図２０に示す連続構成の延伸方法、すなわち、既存の第１パネル（２０）の上端より直接延伸させてバックル（１５）を形成する方法を採用している。この解決も、包装箱体の材料の使用量を増加させることによって、いくつかの問題点を生じさせる。その一方で、バックルと包装箱の前面部の印刷面を消費者に向けるために、バックルは、包装箱の前面部、すなわち、第１パネル（２０）を延伸させるだけでもよいが、このようにすると、包装箱のデザイン的な見栄えや視覚効果に影響を与えることになる。図２１に示すように、包装箱の後面部、すなわち、第２パネル（３０）からバックルを延伸させると、包装箱の印刷された前面部、すなわち、第１パネル（２０）が消費者に向いた場合、バックル（１５）の印刷面を消費者に向けることができないため、包装箱の美感に影響を与えることになる。包装箱のバックルの中には、材料の追加をそれ程必要としないようにも見えるものもあるが、実際には、図２０に示す方法で使用されるものと同程度に使用されており、少なくなっている部分は、廃棄片として切り落とされた材料のみである。
【０００７】
その他、絆創膏等の薄型製品は、図２２に示す包装バッグに包装されることもあるが、包装バッグに施された偽封防止技術のほとんどに、シール片が用いられており、この場合、図１６に示す包装箱に使用されるシール片と同様の問題が生じている。さらに、図２３に示す技術的解決が用いられることもある。この技術的解決では、後方カバー（９２）の挿入舌片（９３）は、後方裾部（９１）の内面の一領域に接着される。この解決には、図１９に示すものと同様の問題が存在しており、具体的には、偽封防止効果に乏しいことが問題となっている。換言すれば、接着部分の両側の間に隙間を空けることが容易で、隙間を開けたことは、消費者にほとんど気付かれることはない。空けた隙間が接着剤で再封されると、発見することはさらに困難なものとなる。その理由としては、全ての証拠が内側に隠れるため消費者がそれらを発見することができないからである。
【発明の概要】
【発明が解決しようとする課題】
【０００８】
本発明の第１目的は、包装材料を増やすことのないように、公知の包装箱に設けられた既存の挿入舌片を用いた新規な偽封防止方法を提供し、材料消費を増やさずに偽封防止効果を向上させるだけでなく、厳しさの増す環境保護基準を満たして従来技術の欠点を解消することにある。
【０００９】
本発明の第２目的は、包装材料を増やすことのないように、公知の包装箱に設けられた既存の挿入舌片を用いたバックルを提供し、材料消費を増やさずに厳しさの増す環境保護基準を満たすだけでなく、バックルの印刷面の向きを包装箱の前面部の印刷面と一致させることで包装箱の美感を向上させることにある。
【００１０】
本発明の第３目的は、包装材料を増やすことのないように、公知の包装箱に設けられた既存の挿入舌片を用いたバックルと新規な偽封防止方法を提供し、従来技術の欠点を解消することにある。
【００１１】
本発明の第４目的は、包装材料を増やすことのないように、公知の包装箱に設けられた既存の挿入舌片を用いた新規で有益な偽封防止方法を提供し、材料消費を増やさずに偽封防止効果を向上させることにある。
【課題を解決するための手段】
【００１２】
本発明の第１目的を達成するために、本発明は、以下の技術的解決を提供する。
包装容器の挿入舌片の機能拡張された応用が提供される。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。少なくとも１つのシール用ストリップ（１１）が、挿入舌片（１３）から分離して、折曲線（１２）において、カバーパネル（１０）に連結されていることを特徴とする。シール用ストリップ（１１）は、挿入舌片（１３）と一緒には包装箱の内側収納部に挿入されないが、第２パネル（３０）の外面に押圧接着され、第２パネルと連結固定されることを特徴とする。破断線（７０）が、シール用ストリップ（１１）に対応する第２パネル（３０）に設けられていることを特徴とする。
【００１３】
本発明の第１目的は、以下のような技術的解決によってそれぞれ達成されてもよい。
【００１４】
１つのシール用ストリップ（１１）が、挿入舌片（１３）の中央において、挿入舌片（１３）から分離して、折曲線（１２）において、カバーパネル（１０）に連結されている。シール用ストリップ（１１）は、接着手段を用いて第２パネル（３０）の外面に押圧接着され、第２パネルと連結固定される。シール用ストリップ（１１）は、矢印、バー、半円、円、長円等の中から選択された形状で構成される。
【００１５】
２つのシール用ストリップ（１１）が、挿入舌片（１３）の中央を対称軸として対称状に設けられ、挿入舌片（１３）から分離してもよい。
【００１６】
シール用ストリップ（１１）に対応する第２パネル（３０）の近傍表面とシール用ストリップ（１１）の表面に連続するようにして、文字、模様、文字と模様の結合のうちのいずれかが印刷されてもよい。
【００１７】
底部パネル（６０）にも、カバーパネル（１０）のものと同様の挿入舌片（１３）とシール用ストリップ（１１）とが設けられてもよい。
【００１８】
シール用ストリップ（１１）に、貫通孔（１４）が設けられるとともに、第２パネル（３０）にもこれに対応する同径の貫通孔（２２）が設けられてもよい。また、ロックピン（８０）を２つの貫通孔に挿通してから、シール用ストリップ（１１）を第２パネル（３０）の外面に接着して、第２パネルと連結固定してもよい。
【００１９】
また、本発明の第１目的は、以下のような技術的解決によってそれぞれ達成されてもよい。
【００２０】
包装容器の挿入舌片の機能拡張された応用が提供される。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成される。挿入舌片（１３）は、包装箱の内側収納部に挿入される。１つのシール用ストリップ（１１）が、挿入舌片（１３）から分離して、折曲線（１２）において、カバーパネル（１０）に連結されていることを特徴とする。シール用ストリップ（１１）は、挿入舌片（１３）と一緒には包装箱の内側収納部に挿入されないが、第２パネル（３０）の外面に押圧接着され、第２パネルと連結固定されることを特徴とする。破断線（７０）が、折曲線（１２）付近のシール用ストリップ（１１）上に設けられていることを特徴とする。
【００２１】
底部パネル（６０）には、挿入舌片（１３）とこの挿入舌片（１３）からが分離しているシール用ストリップ（１１）とが設けられていてもよい。シール用ストリップ（１１）は、挿入舌片（１３）と一緒には包装箱の内側収納部に挿入されないが、底部パネル（６０）と隣接する第２パネル（３０）の外面に押圧接着され、第２パネルと連結固定される。
【００２２】
また、本発明の第１目的は、以下のような技術的解決によってそれぞれ達成されてもよい。
【００２３】
包装容器の挿入舌片の機能拡張された応用が提供される。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。少なくとも１つのシール用ストリップ（１１）が、カバーパネル（１０）の折曲線（１２）と隣接する第２パネル（３０）から分離して、破断線（７０）において、第２パネル（３０）に連結されていることを特徴とする。シール用ストリップ（１１）は、挿入舌片（１３）の露出面に押圧接着され、この露出面と連結固定されることを特徴とする。
【００２４】
２つのシール用ストリップ（１１）が、第２パネル（３０）の中央を対称軸として対称状にカバーパネル（１０）の折曲線（１２）付近に設けられ、第２パネル（３０）から分離していてもよい。
【００２５】
第２目的を達成するために、本発明は以下の技術的解決を提供する。
包装容器の挿入舌片の機能拡張された応用が提供される。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。バックル（１５）が、挿入舌片（１３）から分離して、折曲線（１２）において、カバーパネル（１０）に連結されていることを特徴とする。バックル（１５）は、挿入舌片（１３）と一緒には包装箱の内側収納部に挿入されないが、分離前にバックル（１５）の内側に位置する挿入舌片（１３）の一部（１６）は、挿入舌片（１３）と一緒に包装箱の内側収納部に挿入されることを特徴とする。
【００２６】
本発明の第３目的は、以下の技術的解決によって達成される。
包装容器の挿入舌片の機能拡張された応用が提供される。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。バックル（１５）が、挿入舌片（１３）から分離して、折曲線（１２）において、カバーパネル（１０）に連結されていることを特徴とする。バックル（１５）は、挿入舌片（１３）と一緒には包装箱の内側収納部に挿入されず、分離前にバックル（１５）の内側に位置する挿入舌片（１３）の一部は、シール用ストリップ（１１）として設けられていることを特徴とする。シール用ストリップ（１１）は、挿入舌片（１３）と一緒には包装箱の内側収納部に挿入されないが、第２パネル（３０）の外面に押圧接着され、第２パネルと連結固定されることを特徴とする。破断線（７０）が、シール用ストリップ（１１）に対応する第２パネル（３０）に設けられていることを特徴とする。
【００２７】
本発明の第４目的は、以下の技術的解決によって達成される。
包装容器の挿入舌片の機能拡張された応用が提供される。包装容器は、包装バッグで構成され、この包装バッグは、包装袋体（９０）と、後方裾部（９１）と、後方カバー（９２）とを備える。後方カバー（９２）の一端は、後方裾部（９１）と包装袋体（９０）とによって形成された収納部に挿入される挿入舌片（９３）である。１つのシール用ストリップ（１１）が、挿入舌片（９３）から分離して、挿入舌片（９３）の基端において、後方カバー（９２）と連結されていることを特徴とする。シール用ストリップ（１１）は、後方裾部（９１）と包装袋体（９０）とによって形成された収納部に、挿入舌片（９３）と一緒には挿入されないが、後方裾部（９１）の外面に押圧接着され、後方裾部（９１）と連結固定されることを特徴とする。シール用ストリップ（１１）の基端部には、破断線（７０）が設けられていることを特徴とする。
【００２８】
包装容器の挿入舌片の機能拡張された応用が提供される。包装容器は、包装バッグで構成され、この包装バッグは、包装袋体（９０）と、後方裾部（９１）と、後方カバー（９２）とを備える。後方カバー（９２）の一端は、後方裾部（９１）と包装袋体（９０）とによって形成された収納部に挿入される挿入舌片（９３）である。１つのシール用ストリップ（１１）が、後方裾部（９１）の一端から分離して、破断線（７０）においてのみ、後方裾部（９１）と連結されていることを特徴とする。シール用ストリップ（１１）は、挿入舌片（９３）の露出面に押圧接着され、その露出面と連結固定されることを特徴とする。
【図面の簡単な説明】
【００２９】
本発明の好ましい実施例を、添付の図面を参照しながら以下に例示説明することとする。
【図１】カバーパネルの挿入舌片を包装箱に挿入していない状態を示す本発明の第１実施例の概略構造図である。
【図２】カバーパネルの挿入舌片を包装箱に挿入した状態を示す本発明の第１実施例の概略構造図である。
【図３】封止後に開封した本発明の第１実施例に係る包装箱を示す概略構造図である。
【図４】本発明の第２実施例の概略構造図である。
【図５】本発明の第４実施例の概略構造図である。
【図６】本発明の第５実施例の断面図である。
【図７】本発明の第６実施例の概略構造図である。
【図８】本発明の第７実施例の概略構造図である。
【図９】本発明の第８実施例の概略構造図である。
【図１０】本発明の第９実施例の概略構造図である。
【図１１】本発明の第１０実施例の概略構造図である。
【図１２】本発明の第１０実施例の概略構造図である。
【図１３】本発明の第１１実施例の概略構造図である。
【図１４】本発明の第１１実施例の概略構造図である。
【図１５】本発明の第１２実施例の概略構造図である。
【図１６】本発明の第１３実施例の概略構造図である。
【図１７】シール片による偽封防止方式を利用した従来技術に係る包装箱の概略図である。
【図１８】反対カバー方法による偽封防止方式を利用した従来技術に係る包装箱の概略図である。
【図１９】内部接着方法による偽封防止方式を利用した従来技術に係る包装箱の概略図である。
【図２０】バックルを連設させる延伸方法による偽封防止方式を利用した従来技術に係る包装の概略図である。
【図２１】バックルを連設させる延伸方法による偽封防止方式を利用した従来技術に係る包装の概略図である。
【図２２】シール片による偽封防止方式を利用した従来技術に係る包装バッグの概略図である。
【図２３】内部接着方法による偽封防止方式を利用した従来技術に係る包装バッグの概略図である。
【発明を実施するための形態】
【００３０】
第１実施例：図１，図２及び図３を参照すると、本発明は、包装容器の挿入舌片の機能拡張された応用を提供する。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。少なくとも１つのシール用ストリップ（１１）が、挿入舌片（１３）から分離して、折曲線（１２）において、カバーパネル（１０）に連結されていることを特徴とする。シール用ストリップ（１１）は、挿入舌片（１３）と一緒には包装箱の内側収納部に挿入されないが、第２パネル（３０）の外面に押圧接着され、第２パネルと連結固定されることを特徴とする。破断線（７０）が、シール用ストリップ（１１）に対応する第２パネル（３０）に設けられていることを特徴とする。
【００３１】
１つのシール用ストリップ（１１）は、挿入舌片（１３）の中央において、挿入舌片（１３）から分離して、折曲線（１２）において、カバーパネル（１０）に連結されている。シール用ストリップ（１１）は、接着手段を用いて第２パネル（３０）の外面に押圧接着され、第２パネルと連結固定される。シール用ストリップ（１１）は、矢印、バー、半円、円、長円等の中から選択された形状で構成される。
【００３２】
第２実施例：図４を参照すると、２つのシール用ストリップ（１１）が、挿入舌片（１３）の中央を対称軸として対称状に設けられ、挿入舌片（１３）から分離しているという点で第１実施例と異なっている。
【００３３】
第３実施例：シール用ストリップ（１１）に対応する第２パネル（３０）の近傍表面とシール用ストリップ（１１）の表面に連続するようにして、文字、模様、文字と模様の結合のうちのいずれかが印刷されているという点で第１実施例と異なっている。
【００３４】
第４実施例：図５を参照すると、底部パネル（６０）にも、カバーパネル（１０）のものと同様の挿入舌片（１３）とシール用ストリップ（１１）とが設けられているという点で第１実施例と異なっている。
【００３５】
第５実施例：図６を参照すると、以下の点において第１実施例と異なっている。シール用ストリップ（１１）に、貫通孔（１４）が設けられるとともに、第２パネル（３０）にもこれに対応する同径の貫通孔（２２）が設けられている。ロックピン（８０）を２つの貫通孔に挿通してから、シール用ストリップ（１１）を、第２パネル（３０）の外面に接着して、第２パネルと連結固定するようにしている。
【００３６】
第６実施例：図７を参照すると、本発明は、包装容器の挿入舌片の機能拡張された応用を提供する。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。１つのシール用ストリップ（１１）が、挿入舌片（１３）から分離して、折曲線（１２）において、カバーパネル（１０）に連結されていることを特徴とする。シール用ストリップ（１１）は、挿入舌片（１３）と一緒には包装箱の内側収納部に挿入されないが、第２パネル（３０）の外面に押圧接着され、第２パネルと連結固定されることを特徴とする。破断線（７０）が、折曲線（１２）付近のシール用ストリップ（１１）上に設けられていることを特徴とする。
【００３７】
第７実施例：図８を参照すると、底部パネル（６０）には、挿入舌片（１３）とこの挿入舌片（１３）からが分離しているシール用ストリップ（１１）とが設けられている。シール用ストリップ（１１）は、挿入舌片（１３）と一緒には包装箱の内側収納部に挿入されないが、底部パネル（６０）と隣接する第２パネル（３０）の外面に押圧接着され、第２パネルと連結固定される。
【００３８】
第８実施例：図９を参照すると、本発明は、包装容器の挿入舌片の機能拡張された応用を提供する。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。少なくとも１つのシール用ストリップ（１１）が、カバーパネル（１０）の折曲線（１２）と隣接する第２パネル（３０）から分離して、破断線（７０）において、第２パネル（３０）に連結されていることを特徴とする。シール用ストリップ（１１）は、挿入舌片（１３）の露出面に押圧接着され、この露出面と連結固定されることを特徴とする。
【００３９】
第９実施例：図１０を参照すると、２つのシール用ストリップ（１１）が、第２パネル（３０）の中央を対称軸として対称状にカバーパネル（１０）付近に設けられ、第２パネル（３０）から分離しているという点で第７実施例と異なっている。
【００４０】
第１０実施例：図１１及び図１２を参照すると、本発明は、包装容器の挿入舌片の機能拡張された応用を提供する。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。バックル（１５）が、挿入舌片（１３）から分離して、折曲線（１２）において、カバーパネル（１０）に連結されていることを特徴とする。バックル（１５）は、挿入舌片（１３）と一緒には包装箱の内側収納部に挿入されないが、分離前にバックル（１５）の内側に位置する挿入舌片（１３）の一部（１６）は、挿入舌片（１３）と一緒に包装箱の内側収納部に挿入されることを特徴とする。
【００４１】
第１１実施例：図１３及び図１４を参照すると、包装容器の挿入舌片の機能拡張された応用が提供される。包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。バックル（１５）が、挿入舌片（１３）から分離して、折曲線（１２）において、カバーパネル（１０）に連結されていることを特徴とする。バックル（１５）は、挿入舌片（１３）と一緒には包装箱の内側収納部に挿入されず、分離前にバックル（１５）の内側に位置する挿入舌片（１３）の一部は、シール用ストリップ（１１）として設けられていることを特徴とする。この挿入舌片の一部は、挿入舌片（１３）と一緒には包装箱の内側収納部に挿入されないが、第２パネル（３０）の外面に押圧接着され、第２パネルと連結固定されることを特徴とする。破断線（７０）が、シール用ストリップ（１１）に対応する第２パネル（３０）に設けられていることを特徴とする。
【００４２】
第１２実施例：図１５を参照すると、本発明は、包装容器の挿入舌片の機能拡張された応用を提供する。包装容器は、包装バッグで構成され、この包装バッグは、包装袋体（９０）と、後方裾部（９１）と、後方カバー（９２）とを備える。後方カバー（９２）の一端は、後方裾部（９１）と包装袋体（９０）とによって形成された収納部に挿入される挿入舌片（９３）である。１つのシール用ストリップ（１１）が、挿入舌片（９３）から分離して、挿入舌片（９３）の基端において、後方カバー（９２）と連結されていることを特徴とする。シール用ストリップ（１１）は、後方裾部（９１）と包装袋体（９０）とによって形成された収納部に、挿入舌片（９３）と一緒には挿入されないが、後方裾部（９１）の外面に押圧接着され、後方裾部（９１）と連結固定されることを特徴とする。シール用ストリップ（１１）の基端部には、破断線（７０）が設けられていることを特徴とする。
【００４３】
第１３実施例：図１６を参照すると、包装容器の挿入舌片の機能拡張された応用が提供される。包装容器は、包装バッグで構成され、この包装バッグは、包装袋体（９０）と、後方裾部（９１）と、後方カバー（９２）とを備える。後方カバー（９２）の一端は、後方裾部（９１）と包装袋体（９０）とによって形成された収納部に挿入される挿入舌片（９３）である。１つのシール用ストリップ（１１）が、後方裾部（９１）の一端から分離して、破断線（７０）においてのみ、後方裾部（９１）と連結されていることを特徴とする。シール用ストリップ（１１）は、挿入舌片（９３）の露出面に押圧接着され、その露出面と連結固定されることを特徴とする。
【００４４】
包装箱及び包装バッグのいずれにも、カバーの開閉機能を果たす挿入舌片が設けられ、本発明は、挿入舌片の機能を特別に拡張するものである。本発明は、挿入舌片の従来からある機能を維持するだけでなく、包装材料を増加させずに、従来技術に見られた課題を効果的に解決して、従来技術の欠点を解消するものである。また、本発明は、偽封防止の新しい方法を提供するものである。本発明は、原料消費を増加させずに、偽封防止効果を明確に向上させることができるだけでなく、コストを抑制し、環境保全に要求される基準に合致するものである。本発明は、包装材料を増加させることなく、バックルの新しい設け方を提供する。本発明は、さらに注目を惹く包装箱となるように、バックルの印刷面が包装箱の印刷面と同じ向きになるだけでなく、環境保全に要求される基準に合致するものである。本発明において、新しい偽封防止方法と新しい設け方の両方が用いられた場合、原料消費を増加させることなく、偽封防止効果を向上させることができるだけでなく、商品を棚に吊り下げて展示しやすくなる。
【００４５】
第１実施例を示した図１を参照すると、六面体箱は、カバーパネル（１０）と、第１パネル（２０）と、第２パネル（３０）と、第１サイドパネル（４０）と、第２サイドパネル（５０）と、底部パネル（６０）とを備えることが示されている。挿入舌片（１３）は、折曲線（１２）に沿ってカバーパネル（１０）を折曲することによって形成されている。挿入舌片（１３）は、包装箱の内側収納部に挿入され、包装箱を閉じた状態にする。シール用ストリップ（１１）と破断線（７０）は、偽封防止と包装箱の開封のために設けられている。通常の大部分の包装箱には、図１７に示すように、偽封防止効果を発揮するためにシール片が付属する。従来のシール片の欠点を解消するために（本明細書の背景技術に記載された関連内容を参照のこと）、本実施例は、特別な解決方法を提供する。すなわち、印刷された包装紙（１平方メートル当たり３００グラムの白色紙等）を切断し、シール用ストリップ（１１）が折曲線（１２）と隣接してカバーパネル（１０）とその一端で連結状態を維持するように、シール用ストリップ（１１）を１つ、挿入舌片（１３）の所定の位置（通常は、中央の位置が選択される）から打抜きプレスする。差込片（１３）を折り曲げると、シール用ストリップ（１１）が挿入舌片（１３）から分離して、シール用ストリップ（１１）の形状と同一の空洞部（１７）が挿入舌片（１３）に形成される。貫通孔の形成は、挿入舌片（１３）の元々の機能や特徴に影響を与えるものではない。挿入舌片（１３）が包装箱の収納部に挿入されると、シール用ストリップ（１１）がカバーパネル（１０）の一端で起立する。これにより、製造ラインで、第２パネル（３０）と対向するシール用ストリップ（１１）のサイド面に接着剤を塗布してから、第２パネル（３０）の外面に、接着剤が塗布されたシール用ストリップ（１１）を押圧接着すると、図２に示すように、接着剤の乾燥後には、シール用ストリップ（１１）が第２パネル（３０）と連結固定される。使用の際には、シール用ストリップ（１１）を含む第２パネル（３０）の破断線（７０）部分を押し込めば、図３に示すように、破断線（７０）を容易に破断して包装箱を開封することができる。シール用ストリップ（１１）は、一度だけ第２パネル（３０）と接着固定される。すなわち、シール用ストリップと第２パネルとの接着後はお互いを分離させる必要がないので、接着面でお互いが分離することがないように、高強度接着剤を選択して、シール用ストリップと第２パネルを連結固定してもよい。この場合、シール用ストリップ（１１）の位置で包装箱を無理矢理開けようとすると、第２パネル（３０）に接着しているシール用ストリップ（１１）の境界部分は、大きく変形して、シール用ストリップ（１１）が損傷するにとどまる。したがって、包装箱は、破断線（７０）の位置でのみ開封することができ、破断線（７０）が一度破断すると、破断線（７０）の修復は不可能となる。シール用ストリップ（１１）自体が小さく、カバーパネル（３０）に連結されたシール用ストリップ（１１）の境界線が露出しているので、上述した２つの状態を発見することは、消費者にとって容易である。しかしながら、事前に製造される従来のシール片では、その底面部が包装箱に接着される。仮に高強度接着剤を使用すれば、シール片を底面部から引き剥がすことができない。このため、シール片には、低強度接着剤のみが使用されることになり、これが、本明細書の背景技術において記載されたシール片の既存の問題の理由となっている。シール用ストリップ（１１）は、後述の理由により、矢印等の形状で構成される。比較的標準的な公知の模様のいくつかは、一方では、消費者にとって、シール用ストリップが損傷を原因とする変化を受けているか否かを特定するのが容易であり、他方では、審美感を向上させるものである。上述の比較によって、本発明の技術的解決は、材料の増加を伴わずに偽封防止効果が明らかに向上するように、従来の挿入舌片を使用して偽封を防止することを提供する。これにより、製造コストの抑制を実現するだけでなく、厳しさの増す環境保護基準を満たして従来技術の欠点を解消している。
【００４６】
第２実施例を示す図４を参照すると、２つのシール用ストリップ（１１）が、挿入舌片（１３）の中央を対称軸として対称状に設けられ、挿入舌片（１３）から分離しているという点で第１実施例と異なっている。２つのシール用ストリップ（１１）は、幅広のカバーパネルを備えた包装箱の場合に使用される。
【００４７】
第３実施例は、シール用ストリップ（１１）に対応する第２パネル（３０）の近傍表面とシール用ストリップ（１１）の表面に連続するようにして、文字、模様、文字と模様の結合のうちのいずれかが印刷されているという点で第１実施例と異なっている。この場合、シール用ストリップ（１１）と第２パネル（３０）とを接着する接着剤には、ホットメルト接着剤のような低強度接着剤が選択されてもよい。低強度接着剤であれば、偽封防止効果をより効果的に発揮させることができる。その理由としては、シール用ストリップ（１１）やその周辺上に施された文字や模様部分が、熱や機械の圧力で傷つけられてしまうからである。
【００４８】
第４実施例を示す図５を参照すると、底部パネル（６０）にも、カバーパネル（１０）と同じ挿入舌片（１３）とシール用ストリップ（１１）を設けて、消費者が、違う場所から包装箱を開封し易いようにしている。
【００４９】
第５実施例を示す図６を参照すると、ロックピン（８０）が、シール用ストリップ（１１）と第２パネル（２０）の２つの貫通孔に挿通され、シール用ストリップ（１１）と第２パネル（２０）とを連結固定している点で第１実施例と異なっている。ロックピン（８０）は、シール用ストリップを潰さない限り、離脱することができない。さらに、望ましいのは、環状バックルが、ロックピン（８０）の外周に設けられていた方がよい。
【００５０】
第６実施例を示す図７を参照すると、破断線（７０）を包装箱の第２パネル（３０）に設けずに、折曲線（１２）に隣接するシール用ストリップ（１１）のみを設けている点で第１実施例と異なっている。使用の際には、破断線（７０）を破断することで、包装箱は、通常どおり開封することができる。このような方法では、包装箱の開封後、包装箱の第２パネル（３０）にギザギザした切目ができることはない。
【００５１】
第７実施例を示す図８を参照すると、以下の点において第１実施例と異なっている。底部パネル（６０）にも、挿入舌片（１３）とこの挿入舌片（１３）から分離するシール用ストリップ（１１）が設けられている。シール用ストリップ（１１）は、包装箱の内側収納部に挿入舌片（１３）と一緒に挿入されないが、第２パネル（３０）の外面に押圧接着され、第２パネルと連結固定される。本実施例の技術的解決によれば、箱の底部側も、第１実施例に係る箱のカバー側と同様の偽封防止効果を発揮することができ、材料を一層節約することができる。その理由としては、製品のほとんどは、二重構成の底部パネルを選択して、これらを接着することで包装箱の底部を封止するため、より多くの材料が使用され、接着面を使用者が視認することはできないからである。
【００５２】
第８実施例を示す図９を参照すると、包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。本発明の技術的解決は、後述のような機能を果たす。印刷された包装紙（１平方メートル当たり３５０グラムの白色紙等）を切断し、シール用ストリップ（１１）が折曲線（１２）と隣接して第２パネル（３０）とその一端で連結状態を維持するように、シール用ストリップ（１１）を１つ、挿入舌片（１３）の上端（縦方向中央）から打抜きプレスする。一方、包装箱の内側収納部に挿入される挿入舌片の対応部分が露出するように、シール用ストリップ（１１）の左右両側と上側にあるパネル部分は切り落とされる。シール用ストリップ（１１）が接着剤で挿入舌片の表面と連結固定されることで、シール用ストリップと挿入舌片との間の境界線が露出する。使用の際に、破断線（７０）を破断すると、包装箱が開封される。シール用ストリップ（１１）の位置で包装箱を無理矢理開けようとすると、第２パネル（３０）に接着しているシール用ストリップ（１１）の境界部分は、大きく変形して、挿入舌片（１３）と接着されたシール用ストリップの境界線は、大きく変形して、シール用ストリップ（１１）が完全に潰れて修復不可能となり、消費者はそのことを簡単に識別することができる。図１９に示す従来技術の場合、ブレード状の道具を、接着箇所である塗布面の間の隙間に挿入して、隙間部分の封を開くことができる。消費者にとっては、隙間部分の封が開けられていることは認識しづらいことである。さらに、封が開けられた隙間部分が接着剤で貼り合わされてしまうと、全ての証拠が内部に隠れて消費者がそれらを確認することができないので、消費者がそのことを識別することは不可能である。
【００５３】
第９実施例を示す図１０を参照すると、２つのシール用ストリップ（１１）が、第２パネル（３０）の中央を対称軸として対称状にカバーパネル（１０）付近に設けられ、第２パネル（３０）から分離しているという点で第７実施例と異なっている。かかる技術的解決は、幅広の箱本体を備えた包装箱の偽封を防止するために使用される。
【００５４】
第１０実施例を示す図１１及び図１２を参照すると、包装容器は、六面体包装箱で構成され、この六面体包装箱は、カバーパネル（１０）と、第１パネル（２０）と、第２パネル（３０）と、第１サイドパネル（４０）と、第２サイドパネル（５０）と、底部パネル（６０）とを備える。挿入舌片（１３）は、折曲線（１２）に沿ってカバーパネル（１０）を折曲することによって形成されている。挿入舌片（１３）は、包装箱の内側収納部に挿入される。本実施例は、本発明の第２の目的を実現するために、後述する特別な技術的解決を採用する。印刷された包装紙を切断し、バックル（１５）が、折曲線（１２）において、カバーパネル（１０）と連結するように、バックル（１５）を、挿入舌片（１３）から打抜きプレスする。バックル（１５）は、環状に構成されてもよい。挿入舌片（１３）が折曲されてから包装箱の内側収納部に挿入されると、分離前にバックル（１５）の内側に位置する挿入舌片（１３）の一部（１６）は、挿入舌片（１３）と一緒に包装箱の内側収納部に挿入されるが、バックル（１５）は後方に折曲してカバーパネルに対して垂直となり、いつでも使用可能な状態となる。さらに、挿入舌片（１３）と第１パネル（２０）は、同一の印刷面上に位置し、バックル（１５）は後方に折曲してカバーパネルに対して垂直となると、バックル（１５）の印刷面の向きが、包装箱の前面部である第１パネル）の印刷面と同じになる。さらに、商品棚で消費者に示される包装箱の表示面は、包装箱の前面部（すなわち、第１パネル）となる。これにより、商品の包装は美感がよくなり、商品の売れ行きが良くなる。図２０及び図２１に示す延伸方法と比較すると、本発明は、材料を節約することができるだけでなく、バックル（１５）を第２パネルに設けることができない延伸方法や、延伸状のバックル（１５）と第１パネルの両方の印刷面を消費者に向けることが可能な延伸方法の欠点を解消することができる。さらに、第１パネルの外側へ直接延伸させることによってバックル（１５）を設ける方法では、図２０に示すように、バックル（１５）と第１パネルの印刷面を同一方向とすることが可能となるが、包装箱の前面部（すなわち、第１パネル（２０））が完全とはならない。その理由としては、貫通孔の形状をどのように構成したとしても、貫通孔が前面部（すなわち、第１パネル）の上側の完全さを阻害しているため、包装箱全体の美感が損なわれているからである。しかしながら、最近の消費者は、包装箱に対する感性的な要求が高い。さらに、注目すべきことは、図２１に示すように、包装箱の中には、あまり多くの材料の追加を必要としないように見えるものもあるが、少なくなっている部分は、廃棄片として切り落とされた材料のみであるので、実際には、図２０に示す延伸方法に使用されるのと同じぐらいの材料を追加することが必要となっている。したがって、本発明の挿入舌片（１３）の機能を上記のように拡張したとしても、挿入舌片本来の機能に影響を与えるものではない。これにより、本実施例は、本発明の第２目的を実現する。
【００５５】
第１１実施例を示す図１３及び図１４を参照すると、本実施例では、包装箱の従来の挿入舌片（１３）から、バックル（１５）が分離し、分離前にバックル（１５）の内側に位置する挿入舌片（１３）の一部（１６）が、シール用ストリップ（１１）として設けられている。この挿入舌片の一部は、挿入舌片（１３）と一緒には包装箱の内側収納部に挿入されないが、第２パネル（３０）の外面に押圧接着され、第２パネルと連結固定される。反対カバー方法として公知の図１８に示す従来技術と比較すると、本実施例では、箱カバーの表面面積が２倍相当になる紙の量を節約するだけでなく、バックル（１５）を提供して包装箱の偽封防止効果も向上させる。反対カバー方法では、接着（接着剤塗布）面が、第１パネル（２０）とカバーパネル（１０）から延在し、この接着面は、消費者には視認することができないので、接着面を切り離してから再度接着し直すと、消費者にはそのことが分からない。しかしながら、本発明は、そのような偽封を防止する方法を提供する。シール用ストリップ（１１）と第２パネルとの間の境界線が完全に露出して、シール用ストリッ（１１）のサイズが小さく構成されているため、このような小さい紙上の高強度接着の接着面を分離するのに十分な力を加えることができない。接着面を強引に開封しようとすると、消費者に完全に露出した接着面の境界線が変形又は損傷して、小さなシール用ストリップ（１１）も損傷する。しかしながら、このような変化は元に戻すことはできない。さらに、図１８に示す従来技術では、プリセットの破断線（７０）が、包装箱の前面部（すなわち、第１パネル（２０））に設けられてもよいが、この場合、包装箱の美感に影響を与える。破断線を包装箱の後面部（すなわち、第２パネル（３０））に設けると、バックル（１５）の非印刷面が包装箱の前面部（すなわち、第１パネル（２０））と一緒に消費者の方に向く。明らかにこれは適切な解決とは言えない。しかしながら、本発明の技術的解決は、十分に好ましい効果を発揮して、本発明の第３目的を実現する。
【００５６】
第１２実施例を示す図１５を参照すると、本発明の第６実施例の原理を包装バッグに適用することによって技術的解決に達し得る。包装バッグで構成され、この包装バッグは、包装袋体（９０）と、後方裾部（９１）と、後方カバー（９２）とを備える。後方カバー（９２）の一端は、後方裾部（９１）と包装袋体（９０）とによって形成された収納部に挿入される挿入舌片（９３）である。市販製品を包装するほとんどの包装袋には、図２２に示すシール片が使用され、偽封防止効果を与えている。つまり、後方カバー（９２）の一端（すなわち、挿入舌片（９３））を挿入してから、後方裾部（９１）と後方カバー（９２）との間に生じる境界線の両側にシール片を貼着する。「シール片」による偽封防止方法にも問題が生じる。しかしながら、第１実施例と第６実施例において記載された「シール用ストリップ」が用いられる本実施例では、シール用ストリップ（１１）（好ましくは、その端部）が後方裾部（９１）の外面に押圧接着されて後方裾部（９１）と連結固定されることにより、同一の偽封防止効果が発揮される。シール用ストリップ（１１）を長めに構成して、破断線（７０）を指で容易に破断できるようにしてもよい。
【００５７】
第１３実施例を示す図１６を参照すると、本発明の第８実施例の原理を包装バッグに適用することによって技術的解決に達し得る。包装バッグは、包装袋体（９０）と、後方裾部（９１）と、後方カバー（９２）とを備える。後方カバー（９２）の一端は、後方裾部（９１）と包装袋体（９０）とによって形成された収納部に挿入される挿入舌片（９３）である。１つのシール用ストリップ（１１）は、後方裾部（９１）の端部（すなわち、上端に隣接する部分）から分離して、破断線（７０）においてのみ、後方裾部（９１）と連結されている。シール用ストリップの上側及び左右両側にある部分は、挿入舌片（９３）の一部が露出するように切り落とされる。シール用ストリップ（１１）（好ましくは、その端部）が挿入舌片（９３）の露出した外面に押圧接着されて、挿入舌片（９３）と連結固定される。これにより、シール用ストリップ（１１）と挿入舌片（９３）の境界線が完全に露出することになる。図２３に示す従来技術と比較して、後述の理由によって、偽封防止効果は明らかに向上する。図２３に示す解決では、後方裾部（９１）の内面の一部が、挿入舌片（９３）と接着されているため、ブレード状の道具を２つの接着面から隙間まで挿入して、接着面を簡単に剥がすことができる。剥がした接着面を接着剤で再度接着すれば、消費者は、内側の接着面が損傷し、その境界線と一緒に再度接着されたことに気付かない。このため、偽封防止効果は乏しいと言える。本実施例の解決では、シール用ストリップ（１１）と挿入舌片（９３）との接着面は、完全に露出し、シール用ストリップも小さいので、たとえ加えた力が小さくても、境界線とシール用ストリップ（１１）自体が、変形するか修復不可能な状態に損傷して、消費者はそのことを明確に認識することが可能である。したがって、従来技術と比較して、本発明の技術的解決による偽封防止効果が顕著に向上していることは明白である。本実施例のシール用ストリップ（１１）は、少し上方へ延伸するようにしたり、後方裾部（９１）の端部に沿って上方へ直接延伸するようにしてもよい。
【００５８】
上述の通り、本発明は、包装容器の挿入舌片の機能拡張された応用を提供するものであり、従来の包装箱又は包装バッグに見られた既存の挿入舌片を巧みに利用して、包装箱又は包装バッグにおける新しい偽封防止方法を提供したり、包装箱用のバックルを提供したりする。本発明の偽封防止方法によれば、材料消費を増大させることなく偽封防止効果を向上させることができるだけでなく、厳しさの増す環境保護基準に満たして従来技術の欠点を解消している。さらに、本発明のバックルによれば、材料消費を増大させることなく環境保護基準に合致させることができるだけでなく、バックルの印刷面の向きを包装箱の前方の印刷面と同一にすることで、包装箱の美感をさらに向上させることができる。本発明は、包装箱に見られる既存の挿入舌片を用いてバックルと偽封防止効果の両方を提供することで、挿入舌片の機能を向上させることができる。さらに、本発明の挿入舌片の機能拡張された応用は、さらに向上した技術的効果及び経済的・社会的利益をもたらす。
【００５９】
本発明の好ましい実施例は、上述の記載された実施例に限定されるものでないことは言うまでもない。特許請求の範囲内でなされる変形例は、本発明の保護範囲内とされる。具体的な技術的特徴又はこれらの組み合わせによってなされた様々な同等又は代替の解決は、本開示の範囲内とされる。
【符号の説明】
【００６０】
１０  カバーパネル
１１  シール用ストリップ
１２  折曲線
１３  挿入舌片
１４  貫通孔
１５  バックル
１６  バックルの分離前に内側に含まれる部分
１７  空洞部
２０  第１パネル
２２  第２パネルの貫通孔
３０  第２パネル
４０  第１サイドパネル
５０  第２サイドパネル
６０  底部パネル
７０  破断線
８０  ロックピン
８５  シール片
８６  接着箇所
９０  袋体
９１  後方裾部
９２  後方カバー
９３  包装バッグの挿入舌片
【図１】
2012531371.tif 000003
【図２】
2012531371.tif 000004
【図３】
2012531371.tif 000005
【図４】
2012531371.tif 000006
【図５】
2012531371.tif 000007
【図６】
2012531371.tif 000008
【図７】
2012531371.tif 000009
【図８】
2012531371.tif 000010
【図９】
2012531371.tif 000011
【図１０】
2012531371.tif 000012
【図１１】
2012531371.tif 000013
【図１２】
2012531371.tif 000014
【図１３】
2012531371.tif 000015
【図１４】
2012531371.tif 000016
【図１５】
2012531371.tif 000017
【図１６】
2012531371.tif 000018
【図１７】
2012531371.tif 000019
【図１８】
2012531371.tif 000020
【図１９】
2012531371.tif 000021
【図２０】
2012531371.tif 000022
【図２１】
2012531371.tif 000023
【図２２】
2012531371.tif 000024
【図２３】
2012531371.tif 000025
【国際調査報告】
2012531371.tif 000026
2012531371.tif 000027
2012531371.tif 000028
2012531371.tif 000029
2012531371.tif 000030
2012531371.tif 000031